(57)【要約】【課題】  扉体の取付位置の調整が容易であり、且つ外観が良好な門扉を提供する。【解決手段】  カバー材１と、支持アーム２と、一対の挟持材３ａ，３ｂと、固定材４と、引寄せ具５とを備え、カバー材１は、柱体６の側面に取り付けて柱体６との間に空間を形成し、支持アーム２は、左右に伸び一端に扉吊込み部２１を有し他端をカバー材１に挿入し、挟持材３ａ，３ｂは、カバー材１内部で支持アーム２を左右方向の任意の位置で前後から挟み、支持アーム２と共に鉛直軸周りに回動自在であり、固定材４は、カバー材１内部に設けたもので挟持材３ａ，３ｂに当接・離間自在であり、引寄せ具５は、カバー材１と固定材４の両方に係合して、挟持材３ａ，３ｂに当接した固定材４をカバー材１内面に引き寄せるものであり、挟持材３ａ，３ｂと支持アーム２を固定材４とカバー材１内面とで挟み込んで固定してある。【選択図】      図１
2010048050.tif 000002
【特許請求の範囲】
【請求項１】
カバー材と、支持アームと、一対の挟持材と、固定材と、引寄せ具とを備え、カバー材は、柱体の側面に取り付けて柱体との間に空間を形成し、支持アームは、左右に伸び一端に扉吊込み部を有し他端をカバー材に挿入し、挟持材は、カバー材内部で支持アームを左右方向の任意の位置で前後から挟み、支持アームと共に鉛直軸周りに回動自在であり、固定材は、カバー材内部に設けたもので挟持材に当接・離間自在であり、引寄せ具は、カバー材と固定材の両方に係合して、挟持材に当接した固定材をカバー材内面に引き寄せるものであり、挟持材と支持アームを固定材とカバー材内面とで挟み込んで固定してあることを特徴とする門扉。
【請求項２】
支持アーム、一対の挟持材、固定材及び引寄せ具をカバー材の上下方向複数箇所に備えることを特徴とする請求項１記載の門扉。
【請求項３】
中空の門柱と、支持アームと、一対の挟持材と、固定材と、引寄せ具とを備え、支持アームは、左右に伸び一端に扉吊込み部を有し他端を門柱に挿入し、挟持材は、門柱内部で支持アームを左右方向の任意の位置で前後から挟み、支持アームと共に鉛直軸周りに回動自在であり、固定材は、門柱内部に設けたもので挟持材に当接・離間自在であり、引寄せ具は、門柱と固定材の両方に係合して、挟持材に当接した固定材を門柱内面に引き寄せるものであり、挟持材と支持アームを固定材と門柱内面とで挟み込んで固定してあることを特徴とする門扉。
【請求項４】
挟持材は、支持アームに略平行して支持アームの他端側に延びる延出部と、延出部の先端に設けた当接部を有し、固定材は、当接部を支持アームの一端側方向に押圧する押圧部を有することを特徴とする請求項１、２又は３記載の門扉。
【請求項５】
支持アームが長さ方向に傾斜することを規制する規制部を備えることを特徴とする請求項１、２、３又は４記載の門扉。
【発明の詳細な説明】
【技術分野】
【０００１】
本発明は、扉体の取付位置を前後左右に調整可能な門扉に関する。
【背景技術】
【０００２】
門柱に扉体を取り付ける際に、扉体の吊元の位置を前後又は左右に調整しなければならない場合がある。このような調整を可能にするものとしては、特許文献１の取付装置が提案されている。
【特許文献１】実公平５−４５５２号公報
【発明の開示】
【発明が解決しようとする課題】
【０００３】
しかしながら、文献１に記載の装置においては、支軸の位置を調整する際に、前後方向に調整するときは一本の締付ボルトを操作し、左右方向に調整するときは四本の固定ビスを操作しなければならず、作業性が悪い。また、表板や位置調整するための調節孔が露出しており、外観が好ましくない。
【０００４】
本発明は、上記事情を鑑みたものであり、扉体の取付位置の調整が容易であり、且つ外観が良好な門扉を提供することを目的とする。
【課題を解決するための手段】
【０００５】
本発明のうち請求項１の発明は、カバー材と、支持アームと、一対の挟持材と、固定材と、引寄せ具とを備え、カバー材は、柱体の側面に取り付けて柱体との間に空間を形成し、支持アームは、左右に伸び一端に扉吊込み部を有し他端をカバー材に挿入し、挟持材は、カバー材内部で支持アームを左右方向の任意の位置で前後から挟み、支持アームと共に鉛直軸周りに回動自在であり、固定材は、カバー材内部に設けたもので挟持材に当接・離間自在であり、引寄せ具は、カバー材と固定材の両方に係合して、挟持材に当接した固定材をカバー材内面に引き寄せるものであり、挟持材と支持アームを固定材とカバー材内面とで挟み込んで固定してあることを特徴とする。
【０００６】
本発明のうち請求項２の発明は、支持アーム、一対の挟持材、固定材及び引寄せ具をカバー材の上下方向複数箇所に備えることを特徴とする。
【０００７】
本発明のうち請求項３の発明は、中空の門柱と、支持アームと、一対の挟持材と、固定材と、引寄せ具とを備え、支持アームは、左右に伸び一端に扉吊込み部を有し他端を門柱に挿入し、挟持材は、門柱内部で支持アームを左右方向の任意の位置で前後から挟み、支持アームと共に鉛直軸周りに回動自在であり、固定材は、門柱内部に設けたもので挟持材に当接・離間自在であり、引寄せ具は、門柱と固定材の両方に係合して、挟持材に当接した固定材を門柱内面に引き寄せるものであり、挟持材と支持アームを固定材と門柱内面とで挟み込んで固定してあることを特徴とする。
【０００８】
本発明のうち請求項４の発明は、挟持材は、支持アームに略平行して支持アームの他端側に延びる延出部と、延出部の先端に設けた当接部を有し、固定材は、当接部を支持アームの一端側方向に押圧する押圧部を有することを特徴とする。
【０００９】
本発明のうち請求項５の発明は、支持アームが長さ方向に傾斜することを規制する規制部を備えることを特徴とする。
【発明の効果】
【００１０】
本発明のうち請求項１の発明によれば、引寄せ具を操作するだけで、扉吊込み部の位置を前後及び左右に調整可能であり、作業性が極めて良好である。また、カバー材から支持アームのみが突出しており、外観もすっきりとして好ましい。さらに、支持アームの長さの分だけ左右方向の位置調整が可能であり、支持アームを長くすれば調整幅を大きくすることができる。また、柱体の側面にカバー材を固定するだけでよいため、種々の形状・構造の柱体に取り付けることが可能であり、既存の柱体に後付けすることもできる。
【００１１】
本発明のうち請求項２の発明によれば、カバー材に複数の支持アーム等を備えるので、柱体に複数のカバー材を設けなくても、単一のカバー材で扉体を支持できる。これにより、例えば柱体の上端から下端までを覆うカバー材を設けることで、柱体とカバー材とが一体となった、よりすっきりとした外観となる。
【００１２】
本発明のうち請求項３の発明によれば、請求項１の発明と同様、引寄せ具を操作するだけで扉吊込み部の位置を前後及び左右に調整可能で、作業性が極めて良好であり、また、支持アームの長さの分だけ左右方向の位置調整が可能で、支持アームを長くすれば調整幅を大きくすることができる。さらに、門柱から支持アームのみが突出しており、外観もすっきりとして好ましい。
【００１３】
本発明のうち請求項４の発明によれば、挟持材と固定材との接触面積が広くなり、さらに挟持材及び支持アームの回転中心から離れた位置で挟持材を押さえるので、挟持材及び支持アームの回転を確実に抑えることができる。
【００１４】
本発明のうち請求項５の発明によれば、支持アームの扉吊込み部に取り付ける扉体の重量により支持アームが傾斜することを防ぐことができる。規制部を設けない場合であっても、固定材により支持アームを固定して傾斜を防ぐものであるが、規制部を設けることによって、重い扉体であってもより確実に支持することができる。
【発明を実施するための最良の形態】
【００１５】
以下、本発明の実施の形態を図面に基づいて説明する。なお、説明中の前後及び左右とはそれぞれ図１における上下方向及び左右方向を示すものとする。本発明の門扉の第一実施例は、図１及び図２（ａ）（ｂ）に示すように、カバー材１と、支持アーム２と、一対の挟持材（前側挟持材３ａ、後側挟持材３ｂ）と、固定材４と、引寄せ具５とを備える。
カバー材１は、門柱を構成する柱体６にネジ止めするもので、右側面に窓部１１を有し、窓部１１から後述の支持アーム２を挿入してある。そして、カバー材１と柱体６とで構成される空間内に、後述の前側挟持材３ａ、後側挟持材３ｂ及び固定材４を内包する。
支持アーム２は、断面縦長長方形で左右に伸びており、右側端には上下方向に貫通した孔を形成して扉吊込み部２１としてあり、左側端は先鋭形状としてある。また、支持アーム２の後側面には、水平断面が三角波形状の凹凸部２２が形成してある。
前側挟持材３ａ及び後側挟持材３ｂは、それぞれ支持アーム２の前後に相対して配置して、支持アーム２を挟持するもので、円柱を軸と平行な面で切断した形状である。両挟持材３ａ，３ｂは、支持アーム２を挟持した状態で、その水平断面の外周が同一円周となる。カバー材１の内周面のうち前側面と右側面には、それぞれ両挟持材３ａ，３ｂの外周と同一曲率の円弧状の受け部１２ａ，１２ｂが形成してあり、両挟持材３ａ，３ｂは受け部１２ａ，１２ｂに摺動して支持アーム２と共に回動自在である。後側挟持材３ｂの支持アーム２との接触面には、水平断面が三角波形状の凹凸部３１が形成してあり、これは支持アーム２の凹凸部２２と同ピッチで、互いに噛み合う。前側挟持材３ａは、左側端から左側へ向けて延出部３２が延びており、延出部３２の先端から後側に当接部３３が延びている。ただし、支持アーム２が位置する高さ部分には切欠部３４を設け、支持アーム２と当接部３３とが干渉しないようにしてある。当接部３３の左側面は、水平断面が両挟持材３ａ，３ｂの外周と同心円の円弧に形成されており、さらにその表面に水平断面が三角波形状の凹凸部３５が形成してある。
固定材４は、両挟持材３ａ，３ｂの外周と同一曲率の円弧状の固定部４１を有し、固定部４１は後側挟持材３ｂに左側から接する。そして固定部４１の後側には左右方向を向いたネジ孔４２が形成してあり、固定部４１の左側には前側挟持材３ａの当接部３３と対向する押圧部４３を有する。押圧部４３の右側面は当接部３３と同一曲率の円弧状であり、さらにその表面に水平断面が三角波形状の凹凸部４４が形成してあり、当接部３３の凹凸部３５と押圧部４３の凹凸部４４とが互いに噛み合う。ただし、支持アーム２が位置する高さ部分には挿通孔４５を設け、支持アーム２と押圧部４３とが干渉しないようにしてある。
引寄せ具５は、ボルトからなり、カバー材１の右側面に設けた通し孔１３を通して固定材４のネジ孔４２に螺合する。引寄せ具５の操作により、固定材４が左右方向に移動する。固定部４１が後側挟持材３ｂに左側から接しているので、固定材４を右側に引き寄せることで、両挟持材３ａ，３ｂに対して右前方向の力が働き、カバー材１の内周面の受け部１２ａ，１２ｂに押し付け、固定する。
なお、引寄せ具５により固定材４を両挟持材３ａ，３ｂから離すと、両挟持材３ａ，３ｂを固定するものがなくなり、これらが落下してしまうため、両挟持材３ａ，３ｂの下面に接する位置に支持材７を設けてある。支持材７はＬ字形で、カバー材１にネジ止めしてある。
また、支持アーム２の扉吊込み部２１に扉体を取り付けることで、扉体の重量により支持アーム２を右側に傾斜させる力が働いても、支持アーム２が窓部１１の下縁、切欠部３４の上縁及び挿通孔４５の上縁に係止して、それ以上の傾斜は規制される。このように、本実施例においては窓部１１の下縁、切欠部３４の上縁及び挿通孔４５の上縁がそれぞれ規制部１１ａ，３４ａ，４５ａとして機能する。
【００１６】
次に、本発明の門扉における扉体の取付位置の調整方法について説明する。引寄せ具５により固定材４を両挟持材３ａ，３ｂから離した状態では、支持アーム２は両挟持材３ａ，３ｂに対して左右に移動自在であり、どの位置においても両挟持材３ａ，３ｂにより挟持することが可能であるから、支持アーム２の長さ分だけ、扉吊込み部２１の位置を左右に調整できる。さらに、支持アーム２は両挟持材３ａ，３ｂと共に回動自在であるから、支持アーム２がカバー材１に干渉しない範囲で、扉吊込み部２１の位置を前後に調整できる。なお、支持アーム２の凹凸部２２と後側挟持材３ｂの凹凸部３１とが噛み合い、また前側挟持材３ａの凹凸部３５と固定材４の凹凸部４４とが噛み合うので、調整は各凹凸部のピッチ単位で可能である。このように、支持アーム２の平行移動及び回転により扉吊込み部２１の位置が決定したら、引寄せ具５により固定材４を右側に引き寄せ、両挟持材３ａ，３ｂをカバー材１に押し付ければ、支持アーム２の平行移動及び回転は抑えられ、扉吊込み部２１が所定の位置で固定される。
【００１７】
次に、本発明の門扉において、扉体を取り付けた状態について説明する。図３及び図４に示すように、立設した柱体６の側面に、カバー材１が取り付けてある。カバー材１は、柱体６の上端から下端にわたって設けてあり、上下二箇所に支持アーム２、両挟持材３ａ，３ｂ、固定材４及び引寄せ具５を備えている。一方、扉体９は、支持アーム２に対応する二箇所に係合アーム１０を備え、係合アーム１０の左側端に上下方向に貫通した孔を形成して被扉吊込み部２３としてある。そして、支持アーム２の扉吊込み部２１及び係合アーム１０の被扉吊込み部２３に支軸２４を挿通することで、扉体９が開閉自在に取り付けてある。このように構成した門扉は、扉体９の取付位置の調整が容易で且つ調整幅が大きく、また、カバー材１が柱体６と一体になり、カバー材１から支持アーム２のみが突出しており、外観がすっきりとして好ましい。
【００１８】
また、カバー材１は、支持アーム２等が位置する部分のみに設けるものであってもよい。すなわち、図５に示す第二実施例のように、先の第一実施例と比べて上下に短いカバー材１を柱体６の上下二箇所に取り付け、それぞれ一箇所に支持アーム２等を備えるもので、先と同様に、支持アーム２の扉吊込み部２１と係合アーム１０の被扉吊込み部２３とを支軸により連結し、扉体９が開閉自在に取り付けてある。この実施例でも、一つのカバー材に二つの支持アームを備えた先の実施例と同等の機能を有し、柱体の形状やデザイン面の都合により、いずれの実施例も自由に選択することができる。
【００１９】
次に、本発明の門扉の第三実施例について、図６に基づき説明する。なお、説明中の前後及び左右とはそれぞれ図６における上下方向及び左右方向を示すものとする。第三実施例は、門柱８と、支持アーム２と、一対の挟持材（前側挟持材３ａ、後側挟持材３ｂ）と、固定材４と、引寄せ具５と、支持材（図示省略）とを備えるが、門柱８以外の構成要素は前述の第一実施例と同様であり、説明を省略する。
門柱８は、設置面に立設したもので中空の四角柱であり、右側面に窓部８１を有し、窓部８１から支持アーム２を挿入してある。そして、門柱８内部には両挟持材３ａ，３ｂ及び固定材４を内包する。門柱８の内周面のうち前側面と右側面には、それぞれ両挟持材３ａ，３ｂの外周と同一曲率の円弧状の受け部８２ａ，８２ｂが形成してあり、両挟持材３ａ，３ｂは受け部８２ａ，８２ｂに摺動して支持アーム２と共に回動自在である。また、門柱８の右側面には通し孔８３が設けてあり、この通し孔８３に引寄せ具５を通して固定材４のネジ孔に螺合する。引寄せ具５の操作により、固定材４が左右方向に移動し、右側に引き寄せることで、両挟持材３ａ，３ｂを門柱８の内周面に押し付け、固定する。
この第三実施例によれば、前述の第一実施例と同様に、引寄せ具を操作するだけで扉吊込み部の位置を前後及び左右に調整可能で、作業性が極めて良好であり、また、支持アームの長さの分だけ左右方向の位置調整が可能で、支持アームを長くすれば調整幅を大きくすることができる。さらに、門柱から支持アームのみが突出しており、外観もすっきりとして好ましい。
【００２０】
本発明は、上記の実施形態に限定されない。例えば、一つのカバー材の三箇所以上あるいは門柱の三箇所以上に支持アーム等を備えてもよいし、一箇所に支持アーム等を備えたカバー材を柱体の三箇所以上に取り付けてもよい。また、挟持材の外周形状は、円形以外に多角形でもよく、この場合、カバー材又は門柱の受け部及び固定材の固定部も同様の形状にすることで、段階的な角度調整が可能であり且つ挟持材の回転を確実に抑えることができる。さらに、引寄せ具は、固定材を引き寄せて挟持材をカバー材又は門柱の内面に押し付けることができるものであれば、どのようなものでもよく、引き寄せる方向も左右方向に限定されない。また、カバー材及び門柱は、支持アームを挿入し挟持材及び固定材を内包できるものであれば、どのような形状であってもよく、デザイン等を考慮して外観を自由に設計できる。さらに、規制部は支持アームの傾斜を規制できるものであればその形状は問わず、窓部、切欠部や挿通孔の縁部であってもよいし、例えば挟持材の右側端など別の箇所に突起等を設けるものであってもよい。
【図面の簡単な説明】
【００２１】
【図１】本発明の門扉のカバー材部分の水平方向断面図である。
【図２（ａ）】カバー材部分の分解斜視図である。
【図２（ｂ）】カバー材部分の一部切欠斜視図である。
【図３】図４のＡ−Ａ線断面図である。
【図４】門扉の正面図である。
【図５】門扉の第二実施例の正面図である。
【図６】門扉の第三実施例の門柱部分の水平方向断面図である。
【符号の説明】
【００２２】
１  カバー材
２  支持アーム
３ａ  前側挟持材
３ｂ  後側挟持材
４  固定材
５  引寄せ具
６  柱体
８  門柱
１１ａ，３４ａ，４５ａ  規制部
２１  扉吊込み部
３２  延出部
３３  当接部
４３  押圧部
【図１】
2010048050.tif 000003
【図２（ａ）】
2010048050.tif 000004
【図２（ｂ）】
2010048050.tif 000005
【図３】
2010048050.tif 000006
【図４】
2010048050.tif 000007
【図５】
2010048050.tif 000008
【図６】
2010048050.tif 000009